(57)【特許請求の範囲】
【請求項１】
居室空間内の複数の領域各々の環境を、異なる制御条件で制御可能な環境制御機器を管理し制御する環境制御システムであって、
前記居室空間を管理する管理者によって予め設定された管理条件を保持する管理条件保持部と、
前記居室空間を利用する複数の利用者がそれぞれ携帯する携帯端末の位置情報と、その携帯端末を所持する前記利用者の前記居室空間の環境に対する快適度に関する快適度情報とを含む端末情報を収集する端末情報収集部と、
収集された前記端末情報に基づいて、快適度の低い前記利用者の快適度が高くなるように、かつ、快適度の高い前記利用者の快適度が維持されるように、前記制御条件を調整する調整部と、
を備え、
前記調整部は、
前記管理条件に適合するように前記制御条件を調整し、
前記端末情報収集部により収集された快適度情報の収集結果と、調整により決定された前記制御条件と前記制御条件に決定された理由とを含む情報と、を前記携帯端末に送信し、
前記理由には、
前記端末情報収集部により収集された前記快適度情報に従った前記制御条件の下で前記環境制御機器を制御した場合に前記管理条件に適合しなくなるためであることが含まれる、
環境制御システム。
【請求項２】
前記環境制御機器の消費電力に関する情報を収集する消費電力情報収集部をさらに備え、
前記調整部は、
所定期間の総消費電力量の目標値を前記管理条件として前記制御条件を調整し、
前記理由には、前記端末情報収集部により収集された前記快適度情報に従った前記制御条件の下で前記環境制御機器を制御した場合に総消費電力量が目標値を超えてしまうことが含まれる、
ことを特徴とする請求項１に記載の環境制御システム。
【請求項３】
前記調整部は、
収集された前記消費電力に関する情報に基づいて、前記環境制御機器の消費電力量及びその消費電力量から換算される電気料金の少なくとも一方を算出し、
前記携帯端末に、前記総消費電力量及び前記電気料金の少なくとも一方を送信し、
前記理由には、前記端末情報収集部により収集された前記快適度情報に従った前記制御条件の下で前記環境制御機器を制御した場合に総消費電力量及び前記電気料金の少なくとも一方が目標値を超えてしまうことが含まれる、
ことを特徴とする請求項２に記載の環境制御システム。
【請求項４】
前記調整部は、
前記複数の利用者各々に優先度を与え、
前記優先度の高い前記利用者に重点をおいて、前記制御条件を調整する、
ことを特徴とする請求項１乃至３のいずれか一項に記載の環境制御システム。
【請求項５】
前記調整部は、
収集された前記位置情報に基づいて、前記複数の利用者各々の動作情報を算出し、
前記動作情報に基づいて、前記複数の利用者各々の前記優先度を決定する、
ことを特徴とする請求項４に記載の環境制御システム。
【請求項６】
前記調整部は、
前記動作情報に基づいて、前記複数の利用者各々の運動量を算出し、
前記運動量が大きくなればなるほど、前記優先度を高くする、
ことを特徴とする請求項５に記載の環境制御システム。
【請求項７】
前記調整部は、
収集された前記快適度情報に基づいて、前記複数の利用者各々の前記優先度を決定する、
ことを特徴とする請求項４に記載の環境制御システム。
【請求項８】
前記調整部は、
前記快適度が他の前記利用者の前記快適度と異なる前記利用者の前記優先度を高くする、
ことを特徴とする請求項７に記載の環境制御システム。
【請求項９】
前記端末情報には、前記携帯端末の周囲の環境情報が含まれ、
前記調整部は、
収集された前記端末情報に基づいて、前記環境情報が快適である範囲に含まれるにも関わらず、快適でないと答えた前記利用者の前記優先度を高くする、
ことを特徴とする請求項７に記載の環境制御システム。
【請求項１０】
前記端末情報収集部は、
前記制御条件が変更された後に、前記端末情報を再度収集し、
前記調整部は、
収集された前記快適度情報に基づいて、前記複数の利用者の前記快適度が改善したか否かを判定し、
前記快適度が改善されたと判定された場合に、変更された前記制御条件の下での前記環境制御機器の制御を継続させる、
ことを特徴とする請求項１乃至９のいずれか一項に記載の環境制御システム。
【請求項１１】
前記調整部は、
変更された前記制御条件の下での前記環境制御機器の制御を継続し、所定期間が経過すると、前記制御条件を元に戻す、
ことを特徴とする請求項１０に記載の環境制御システム。
【請求項１２】
前記端末情報収集部は、
前記制御条件が変更された後に、前記端末情報を再度収集し、
前記調整部は、
収集された前記快適度情報に基づいて、前記複数の利用者の快適度が悪化したか否かを判定し、
前記快適度が悪化したと判定された場合に、前記制御条件を元に戻す、
ことを特徴とする請求項１乃至１１のいずれか一項に記載の環境制御システム。
【請求項１３】
前記端末情報収集部は、
前記制御条件が変更された後に、前記端末情報を再度収集し、
前記調整部は、
収集された前記快適度情報に基づいて、前記複数の利用者の快適度が改善されたか否かを判定し、
前記快適度が改善されていないと判定した場合には、前記制御条件の再調整を行う、
ことを特徴とする請求項１乃至１２のいずれか一項に記載の環境制御システム。
【請求項１４】
位置に関する情報を検出する位置情報検出部と、
居室空間の環境に対する利用者の快適度に関する快適度情報を入力する快適度情報入力部と、
請求項１乃至１３のいずれか一項に記載の環境制御システムに、前記位置に関する情報と、前記快適度情報とを含む端末情報を送信する送信部と、
を備える携帯端末。
【請求項１５】
請求項３に記載の環境制御システムから、居室空間内の環境を制御する環境制御機器の総消費電力量及び電気料金の少なくとも一方を受信する受信部と、
前記受信部によって受信された前記総消費電力量及び前記電気料金の少なくとも一方を表示する表示部と、
を備える携帯端末。
【請求項１６】
請求項１に記載の環境制御システムによる調整で決定された、居室空間内の環境を制御する環境制御機器の制御条件と、その制御条件に決定された理由とを含む情報を受信する受信部と、
前記受信部によって受信された情報を表示する表示部と、
を備える携帯端末。
【請求項１７】
請求項１に記載の環境制御システムから送信された、居室空間を利用する複数の利用者の快適度情報の収集結果を受信する受信部と、
前記受信部によって受信された情報を表示する表示部と、
を備える携帯端末。
【請求項１８】
居室空間内の複数の領域各々の環境を、異なる制御条件で制御可能な環境制御機器を管理し制御する環境制御方法であって、
前記居室空間を管理する管理者によって予め設定された管理条件を保持する管理条件保持工程と、
前記居室空間を利用する複数の利用者がそれぞれ携帯する携帯端末の位置情報と、その携帯端末を所持する前記利用者の前記居室空間の環境に対する快適度に関する快適度情報とを含む端末情報を収集する端末情報収集工程と、
収集された前記端末情報に基づいて、快適度の低い前記利用者の快適度が高くなるように、かつ、快適度の高い前記利用者の快適度が維持されるように、前記制御条件を調整する調整工程と、
を含み、
前記調整工程では、
前記管理条件に適合するように前記制御条件を調整し、
前記端末情報収集工程により収集された快適度情報の収集結果と、調整により決定された前記制御条件と前記制御条件に決定された理由とを含む情報と、を前記携帯端末に送信し、
前記理由には、
前記端末情報収集工程により収集された前記快適度情報に従った前記制御条件の下で前記環境制御機器を制御した場合に前記管理条件に適合しなくなるためであることを含める、
環境制御方法。
【請求項１９】
居室空間内の複数の領域各々の環境を、異なる制御条件で制御可能な環境制御機器を管理し制御するコンピュータに実行させるプログラムであって、
前記居室空間を管理する管理者によって予め設定された管理条件を保持する管理条件保持手順と、
前記居室空間を利用する複数の利用者がそれぞれ携帯する携帯端末の位置情報と、その携帯端末を所持する前記利用者の前記居室空間の環境に対する快適度に関する快適度情報とを含む端末情報を収集する端末情報収集手順と、
収集された前記端末情報に基づいて、快適度の低い前記利用者の快適度が高くなるように、かつ、快適度の高い前記利用者の快適度が維持されるように、前記制御条件を調整する調整手順と、
をコンピュータに実行させ、
前記調整手順では、
前記管理条件に適合するように前記制御条件を調整し、
端末情報収集手順により収集された快適度情報の収集結果と、調整により決定された前記制御条件と前記制御条件に決定された理由とを含む情報と、を前記携帯端末に送信する手順を、
コンピュータに実行させ、
前記理由には、
前記端末情報収集手順により収集された前記快適度情報に従った前記制御条件の下で前記環境制御機器を制御した場合に前記管理条件に適合しなくなるためであることを含める、
プログラム。
【発明の詳細な説明】
【技術分野】
【０００１】
この発明は、居室空間内の環境を管理し制御する環境制御システム等に関する。
【背景技術】
【０００２】
従来より、居室空間の環境を管理し制御するシステムが開示されている（例えば、特許文献１、２参照）。特許文献１に記載のシステムでは、携帯電話に登録された個人の好みが制御装置に送信される。制御装置は、各環境制御機器を個人の好みに合った設定に自動的に変更する。
【０００３】
また、特許文献２に記載のシステムは、居室空間を利用する利用者が携帯する無線通信装置を用いて、その利用者の体温、心拍数等の利用者の生体情報を常時測定する。このシステムは、その測定値に基づいて利用者の体調を推定する。さらに、このシステムは、推定された体調に基づいて、空調機の制御を行う。
【先行技術文献】
【特許文献】
【０００４】
【特許文献１】特開２０００−３４９８９６号公報
【特許文献２】特開２００７−１３２６１６号公報
【発明の概要】
【発明が解決しようとする課題】
【０００５】
しかしながら、特許文献１に記載のシステムでは、居室空間を利用する利用者が複数である場合、全ての利用者に対して、好みの環境を提供するのが困難となる。
【０００６】
特許文献２に記載のシステムでは、居室空間を利用する利用者が複数である場合、制御目標となる室温が、例えば、各利用者の体調から推定される目標値の中間値等に設定される。この場合、多数の利用者の快適度を満足させることはできるものの、その中間値から大きくはずれる利用者の快適度を向上させるのは困難である。このような利用者は、居室内に居て、必ずしも快適でないと感じていても、どのような制御条件で空調機が制御されているのかもわからずに我慢を続けることになる。
【０００７】
また、特許文献２に記載のシステムでは、利用者の体調の推定精度が低下している場合には、利用者の快適度を向上させるのが困難となる。また、複数の利用者に対して同様の推定を行おうとした場合、システムが複雑化する。
【０００８】
このように、各利用者を自動判別し、各利用者の好み、要望や体調に合わせて自動的に環境制御等を行う技術が開示されている。しかしながら、複数の利用者に対し、各人の好みなどの個人差を考慮した上で、各人が納得できる居室空間の快適な環境を構築するシステムはいまだに実現されていない。
【０００９】
この発明は、上記事情に鑑みてなされたものであり、その目的は、複数の利用者に対し、各人の個人差を考慮した上で、各人が納得できる居室空間の快適な環境を構築することができる環境制御システム等を提供することである。
【課題を解決するための手段】
【００１０】
上記目的を達成するため、この発明に係る環境制御システムは、居室空間内の複数の領域各々の環境を、異なる制御条件で制御可能な環境制御機器を管理し制御する。管理条件保持部は、居室空間を管理する管理者によって予め設定された管理条件を保持する。端末情報収集部は、居室空間を利用する複数の利用者がそれぞれ携帯する携帯端末の位置情報と、その携帯端末を所持する利用者の居室空間の環境に対する快適度に関する快適度情報とを含む端末情報を収集する。調整部は、収集された端末情報に基づいて、快適度の低い利用者の快適度が高くなるように、かつ、快適度の高い利用者の快適度が維持されるように、制御条件を調整する。調整部は、管理条件に適合するように制御条件を調整する。調整部は、端末情報収集部により収集された快適度情報の収集結果と、調整により決定された制御条件と制御条件に決定された理由とを含む情報と、を携帯端末に送信する。理由には、端末情報収集部により収集された快適度情報に従った制御条件の下で環境制御機器を制御した場合に管理条件に適合しなくなるためであることが含まれる。
【発明の効果】
【００１１】
この発明によれば、居室空間を利用する複数の利用者各々の位置情報及び快適度情報に基づいて、快適度の低い利用者の快適度が高くなるように、かつ、快適度の高い利用者の快適度が維持されるように、環境制御機器の制御条件を調整する。このようにすれば、複数の利用者に対し、各人の個人差を考慮した上で、各人が納得できる居室空間の快適な環境を構築することができる。
【図面の簡単な説明】
【００１２】
【図１】この発明の実施の形態１に係る環境制御システムの構成を示すブロック図である。
【図２】図２（Ａ）は、携帯端末の詳細な構成を示すブロック図であり、図２（Ｂ）は、携帯端末の表示画面の一例（その１）である。
【図３】図１のシステムコントローラの詳細な構成を示すブロック図である。
【図４】消費電力量の推移の一例である。
【図５】図１のシステムコントローラの全体処理（第１全体処理）のフローチャートである。
【図６】図５の制御条件設定処理のサブルーチンである。
【図７】図５の変更後処理のサブルーチンである。
【図８】照明の制御条件の決定に用いられるテーブルの一例である。
【図９】室温の制御条件の決定に用いられるテーブルの一例である。
【図１０】湿度の制御条件の決定に用いられるテーブルの一例である。
【図１１】この発明の実施の形態２に係るシステムコントローラの詳細な構成を示すブロック図である。
【図１２】図１１のシステムコントローラの全体処理（第２全体処理）のフローチャートである。
【図１３】携帯端末の表示画面の一例（その２）である。
【発明を実施するための形態】
【００１３】
実施の形態１．
まず、この発明の実施の形態１について、図面を参照して詳細に説明する。
【００１４】
図１に示すように、この実施の形態に係る環境制御システム１００は、システムコントローラ１と、照明システム２と、空調システム３と、無線インターフェイス（Ｉ／Ｆ）４と、携帯端末５Ａ、５Ｂ、５Ｃと、を備える。
【００１５】
システムコントローラ１は、環境制御システム１００全体を統括制御する。システムコントローラ１の詳細構成については後述する。
【００１６】
照明システム２は、所定の居室空間を照明するシステムである。照明システム２は、照明器２Ａ、２Ｂと、照明コントローラ１２と、を備える。照明器２Ａ、２Ｂは、その居室内における異なる領域に設置されており、主として、それぞれの領域を照明する。照明器２Ａ、２Ｂは、蛍光灯であってもよいし、ＬＥＤであってもよい。
【００１７】
照明器２Ａ、２Ｂの照明により、居室空間全体がカバーされる。照明コントローラ１２は、システムコントローラ１の制御の下で、照明器２Ａ、２Ｂの照明の明るさを個別に制御可能である。すなわち、照明システム２は、居室空間内の複数の領域各々の環境を、異なる制御条件で制御可能である。
【００１８】
空調システム３は、この居室空間の空調を行うシステムである。空調システム３は、室外機３Ａと、室内機３Ｂ、３Ｃと、空調コントローラ１３と、を備える。室外機３Ａは、居室空間外に設置されており、冷媒配管により、室内機３Ｂ、３Ｃと接続されている。室内機３Ｂ、３Ｃは、その居室空間内の異なる領域に設置されており、主として、それぞれの領域の室温、湿度を制御する。
【００１９】
室内機３Ｂ、３Ｃの空調により、居室空間全体がカバーされる。空調コントローラ１３は、室外機３Ａ、室内機３Ｂ、３Ｃを協調動作させることにより、室内機３Ｂ、３Ｃから放出される空気の風向、風量、温度を個別に制御可能である。
【００２０】
また、空調コントローラ１３は、システムコントローラ１の制御の下で、室外機３Ａ、室内機３Ｂ、３Ｃを協調動作させることにより、それぞれの領域の除湿が可能である。すなわち、空調システム３は、居室空間内の複数の領域各々の環境を、異なる制御条件で制御可能である。
【００２１】
無線Ｉ／Ｆ４は、居室空間内に設置された無線通信のインターフェイスである。無線Ｉ／Ｆ４の無線方式としては、例えばＵＷＢ（Ultra Wide Band）を採用することができる。無線Ｉ／Ｆ４は、居室空間内の携帯端末５Ａ、５Ｂ、５Ｃと接続して、無線通信を行う。無線Ｉ／Ｆ４は、携帯端末５Ａ、５Ｂ、５Ｃから送信されたデータを、システムコントローラ１へ送信する。
【００２２】
なお、図１では、無線Ｉ／Ｆ４が１台しか図示されていないが、実際には、少なくとも４台以上の無線Ｉ／Ｆ４が設置されている。各無線Ｉ／Ｆ４は、携帯端末５Ａ、５Ｂ、５Ｃが居室空間のどの位置にあっても、少なくとも３台の無線Ｉ／Ｆ４によって同時に補足されるように配置されている。
【００２３】
この無線通信の電波強度が距離のｎ乗に比例することや電波伝搬時間に基づいて、無線Ｉ／Ｆ４と携帯端末５Ａ、５Ｂ、５Ｃとの間の距離を測定することができる。無線Ｉ／Ｆ４は、このようにして求められた携帯端末５Ａ、５Ｂ、５Ｃとの間の距離を、システムコントローラ１に送信している。
【００２４】
携帯端末５Ａ、５Ｂ、５Ｃは、居室内の利用者（所持者）が携帯する無線端末である。図２（Ａ）に示すように、携帯端末５Ａは、制御部１５と、操作入力部１６と、記憶部１７と、無線通信部１８と、表示部１９と、を備える。
【００２５】
制御部１５は、携帯端末５Ａ全体を統括制御する。操作入力部１６は、利用者の操作入力を受け付ける。記憶部１７は、制御部１５で実行されるプログラムや使用されるデータを格納する。無線通信部１８は、無線Ｉ／Ｆ４との無線通信を行う。表示部１９は、表示画面を有する。携帯端末５Ｂ、５Ｃの構成も携帯端末５Ａの構成と同様である。
【００２６】
携帯端末５Ａ、５Ｂ、５Ｃには、それぞれの利用者が、居室空間の環境に関する自らの好みを設定可能となっている。例えば、利用者が快適だと思える室温、湿度、明るさなどの範囲を、操作入力部１６の操作入力により、入力可能である。例えば、「室温は、２５度〜２７度ぐらいが快適である」、「湿度は低い方が良い」、「明るさは、明るい方が良い」など、自らの好みを設定することができるようになっている。設定された好みに関する情報は、無線通信部１８、無線Ｉ／Ｆ４を介してシステムコントローラ１に送信される。
【００２７】
さらに、携帯端末５Ａ、５Ｂ、５Ｃには、それぞれの利用者が、現在の快適度に関する情報（快適度情報）を、操作入力部１６への操作入力により、入力可能となっている。図２（Ｂ）には、携帯端末５Ａの表示部１９の表示画面が設定されている。利用者は、この表示画面を参照しながら、操作入力部１６を操作して、体調、室温、湿度、明るさに関する自身の感じ方に該当する項目を選択入力する。例えば、体調が良好であるなら「良好」を選択入力し、不調であるなら「不調」を選択入力する。また、何も入力がない場合は、携帯端末で「良好」としても良い。
【００２８】
また、利用者は、暑いと感じるなら室温の「暑い」を選択入力し、寒いと感じるなら室温の「寒い」を選択入力し、暑くもなく寒くもないなら「快適」を選択入力する。利用者が何の入力もしない場合は、携帯端末で「快適」と入力したものとしても良い。また、利用者は、蒸し暑いと感じるなら湿度の「高」を選択入力し、乾燥し過ぎていると感じるなら湿度の「低」を選択入力し、適度な湿度であると感じるなら湿度の「快適」を選択入力する。利用者が何の入力もしない場合は、携帯端末で「快適」と入力したものとしても良い。また、利用者は、照明が明るすぎると感じるなら明るさの「明るい」を選択入力し、照明が暗いと感じるなら明るさの「暗い」を選択入力し、照明の明るさが調度よいと感じるなら明るさの「適度」を選択入力する。利用者が何の入力もしない場合は、携帯端末で「適度」と入力したものとしても良い。
【００２９】
選択入力された情報は、無線通信部１８、無線Ｉ／Ｆ４を介してシステムコントローラ１に送信される。このように、携帯端末５Ａ、５Ｂ、５Ｃには、利用者の快適度に関する種々の情報が入力され、それらの情報がシステムコントローラ１に送信される。
【００３０】
さらに、携帯端末５Ａ、５Ｂ、５Ｃには、各種センサ（不図示）がさらに設けられている。例えば、温度センサ、湿度センサ、照度センサである。これらのセンサの出力は、無線通信部１８、無線Ｉ／Ｆ４を介してシステムコントローラ１に送信される。
【００３１】
なお、この実施の形態では、携帯端末の台数を３台としているが、居室空間を利用する各利用者がそれぞれ携帯端末を携帯するため、携帯端末の台数は、実際には、利用者の数となる。
【００３２】
図１に戻り、環境制御システム１００は、電力計測センサ２２、２３をさらに備えている。電力計測センサ２２は、例えば、照明システム２内の電圧、電流、力率等を測定することにより、照明システム２で消費される消費電力を計測する。電力計測センサ２３は、例えば、空調システム３内の電圧、電流、力率等を測定することにより、空調システム３で消費される消費電力を計測する。
【００３３】
システムコントローラ１は、居室空間内の複数の領域を個別に制御可能な照明システム２及び空調システム３の制御条件を管理し制御する。より具体的には、システムコントローラ１は、居室内の複数の利用者各々の位置に関する情報（正確には、携帯端末５Ａ、５Ｂ、５Ｃの位置に関する情報）を、携帯端末５Ａ、５Ｂ、５Ｃから収集する。また、システムコントローラ１は、複数の利用者各々の快適度情報を携帯端末５Ａ、５Ｂ、５Ｃから収集する。すなわち、システムコントローラ１は、位置に関する情報と快適度情報とを含む携帯端末５Ａ、５Ｂ、５Ｃの端末情報を収集する。
【００３４】
続いて、システムコントローラ１は、収集した利用者の位置情報と快適度情報とに基づいて、複数の利用者各々の快適度が高くなるように、すなわち、快適度の低い利用者の快適度が高くなるように、かつ、快適度の高い利用者の快適度が維持されるように、照明システム２及び空調システム３の制御条件を調整する。
【００３５】
システムコントローラ１について、さらに詳細に説明する。図３に示すように、システムコントローラ１は、指標入力インターフェイス（Ｉ／Ｆ）３０と、管理条件保持部３１と、消費電力情報収集部３２と、端末情報収集部３３と、調整部３４と、制御部３５と、を備える。
【００３６】
指標入力Ｉ／Ｆ３０は、管理条件を入力する。管理条件とは、環境制御システム１００が、居室空間の環境を管理制御する際に管理者によって提示された条件である。管理条件としては、例えば、所定期間、例えば、１日、１週間、１月、１年の総消費電力量の目標値（図４参照）とすることができる。または、目標値に対するシステムの達成レベルや尤度（目標値に対して照明システムおよび空調システムを厳しく制御するか、利用者の快適性を重視して多少甘く制御するかなど）を管理条件とすることもできる。システムコントローラ１は、例えば、所定期間の総消費電力量が、この目標値に適合するように、すなわちこの目標値を超えない範囲内で、照明システム２及び空調システム３の制御条件を調整する。
【００３７】
指標入力Ｉ／Ｆ３０は、図示しない上位装置と接続されている。この上位装置は、例えば、居室を管理する管理者のコンピュータとすることができる。指標入力Ｉ／Ｆ３０は、この上位装置から、管理条件を入力する。
【００３８】
管理条件保持部３１は、指標入力Ｉ／Ｆ３０より入力された管理条件を保持する。保持された管理条件は、後述する調整部３４によって参照される。
【００３９】
消費電力情報収集部３２は、電力計測センサ２２、２３で計測される消費電力の計測値を収集する。計測された消費電力の計測値は、調整部３４に出力される。
【００４０】
端末情報収集部３３は、携帯端末５Ａ、５Ｂ、５Ｃから端末情報を収集する。端末情報収集部３３は、位置情報収集部４０と、快適度情報収集部４１と、環境情報収集部４２と、を備える。
【００４１】
位置情報収集部４０は、携帯端末５Ａ、５Ｂ、５Ｃの位置情報を収集する。位置情報収集部４０は、少なくとも３台の無線Ｉ／Ｆ４によって求められた携帯端末５Ａ、５Ｂ、５Ｃとの間の距離を収集する。そして、位置情報収集部４０は、収集した３つの距離に基づいて、例えば、三点測量法を用いて、携帯端末５Ａ、５Ｂ、５Ｃの位置を検出する。
【００４２】
快適度情報収集部４１は、携帯端末５Ａ、５Ｂ、５Ｃの快適度情報を収集する。快適度情報には、携帯端末５Ａ、５Ｂ、５Ｃに入力された利用者の環境の好みに関する情報や、利用者の快適度に関する情報などが含まれる。
【００４３】
環境情報収集部４２は、携帯端末５Ａ、５Ｂ、５Ｃの環境情報を収集する。環境情報とは、携帯端末５Ａ、５Ｂ、５Ｃそれぞれに取り付けられた各種環境センサによって出力される室温、湿度、照度に関する情報である。
【００４４】
調整部３４は、位置情報収集部４０によって収集された携帯端末５Ａ、５Ｂ、５Ｃの位置情報と、快適度情報収集部４１によって収集された利用者の快適度情報と、環境情報収集部４２によって収集された環境情報とに基づいて、複数の利用者各々の快適度が増すように、すなわち、快適度の低い利用者の快適度が高くなるように、かつ、快適度の高い利用者の快適度が維持されるように、照明システム２及び空調システム３の制御条件を調整する。
【００４５】
制御部３５は、調整部３４によって調整された制御条件に基づいて、照明システム２及び空調システム３を制御する。一般的な管理者は、システムコントローラ１に集められた消費電力の計測値、端末情報を快適度情報あるいは気象情報などを見ることにより、目標値あるいは達成レベルや尤度といった管理条件を変更することもできる。
【００４６】
次に、この実施の形態に係る環境制御システム１００の動作について図５乃至図７のフローチャートを中心として説明する。図５は、システムコントローラ１の第１全体処理であり、図６、図７は、第１全体処理のサブルーチンである。
【００４７】
図５に示すように、まず、システムコントローラ１（指標入力Ｉ／Ｆ３０、管理条件保持部３１）は、管理条件を設定する（ステップＳ１）。より具体的には、指標入力Ｉ／Ｆ３０（図３参照）を介して管理条件が管理条件保持部３１に入力され、その管理条件が管理条件保持部３１に保持される。ここでは、管理条件として例えば１月の総消費電力量の目標値または目標値に対する達成レベルや尤度が入力されるものとする。
【００４８】
続いて、システムコントローラ１（端末情報収集部３３）は、携帯端末５Ａ、５Ｂ、５Ｃから情報を収集することができるように、携帯端末５Ａ、５Ｂ、５Ｃを事前設定する（ステップＳ２）。この事前設定により、携帯端末５Ａ、５Ｂ、５Ｃが、無線Ｉ／Ｆ４との通信範囲に入ると、無線Ｉ／Ｆ４との無線接続リンクが確立され、端末情報収集部３３が、携帯端末５Ａ、５Ｂ、５Ｃから端末情報を収集することができるようになる。
【００４９】
続いて、システムコントローラ１（快適度情報収集部４１）は、携帯端末５Ａ、５Ｂ、５Ｃの所持者の快適度情報（初期設定値）を収集する（ステップＳ３）。ここで、例えば、「２５℃〜２７℃ぐらいが快適に感じる」等の室温、湿度、照度などの所持者の快適度に関する好みの情報が収集される。これらの好みの情報は、調整部３４に出力される。調整部３４は、この基本情報を内部メモリに記憶する。
【００５０】
続いて、システムコントローラ１（調整部３４）は、制御条件（デフォルト）を決定する（ステップＳ４）。ここで、調整部３４は、快適度情報収集部４１によって収集された携帯端末５Ａ、５Ｂ、５Ｃの所持者の快適度に関する基本情報と、管理条件保持部３１によって保持された管理条件とに基づいて、制御部３５を制御する制御条件のデフォルト値を決定する。
【００５１】
続いて、システムコントローラ１（制御部３５）は、このようにして決定された制御条件に基づいて、照明システム２及び空調システム３の制御を開始する（ステップＳ５）。
【００５２】
続いて、システムコントローラ１（位置情報収集部４０）は、携帯端末５Ａ、５Ｂ、５Ｃの位置情報を収集する（ステップＳ６）。
【００５３】
続いて、システムコントローラ１（快適度情報収集部４１）は、携帯端末５Ａ、５Ｂ、５Ｃからその所持者の快適度情報（図２（Ｂ）参照）を収集する（ステップＳ７）。
【００５４】
続いて、システムコントローラ１（環境情報収集部４２）は、携帯端末５Ａ、５Ｂ、５Ｃから室温、湿度、照度等の環境情報を収集する（ステップＳ８）。
【００５５】
続いて、システムコントローラ１（消費電力情報収集部３２）は、電力計測センサ２２、２３からのセンサ出力を入力し、消費電力情報を収集する（ステップＳ９）。
【００５６】
続いて、システムコントローラ１（調整部３４）は、位置情報収集部４０によって収集された携帯端末５Ａ、５Ｂ、５Ｃの位置情報に基づいて、利用者の動作情報を算出する（ステップＳ１０）。携帯端末５Ａ、５Ｂ、５Ｃの位置情報の時系列データが蓄積されてくれば、動作情報を算出することができる。
【００５７】
続いて、システムコントローラ１（調整部３４）は、利用者の優先度を決定する（ステップＳ１１）。例えば、収集された快適度情報を参照して、体調の悪い利用者が居た場合には、その人の優先度を高く設定することができる。また、事前に、携帯端末５Ａ、５Ｂ、５Ｃに登録された個人ＩＤ等が取得され、重要人物であることがわかっている利用者が居る場合には、その人の優先度を高く設定する。また、運動量の多い人、位置や行動に変化があった人が居る場合には、その人の優先度を高く設定する。また、極端に要望の条件が他の人と離れているような人が居る場合には、その人の優先度を高く設定するようにしてもよい。
【００５８】
さらに、運動量の多い人、位置や行動に変化があった人が居るかいないかは、携帯端末５Ａ、５Ｂ、５Ｃの位置情報に基づいて検出することができる。また、携帯端末５Ａ、５Ｂ、５Ｃに加速度センサ等を設け、そのセンサ出力に基づいて、運動量等を検出するようにしてもよい。
【００５９】
続いて、システムコントローラ１（調整部３４）は、変更フラグｆに１がセットされているか否かを判定する（ステップＳ１２）。変更フラグｆは、制御条件が変更されているか否かを示すフラグである。変更フラグｆの詳細については、後述する。変更フラグｆの初期値は０であるため、この判定は否定される（ステップＳ１２；Ｎｏ）。
【００６０】
続いて、システムコントローラ１（調整部３４）は、制御条件設定処理のサブルーチンを行う（ステップＳ１３）。
【００６１】
制御条件設定処理では、図６に示すように、調整部３４は、制御条件を決定する（ステップＳ２０）。ここでは、照明、室温、湿度の制御条件が、それぞれ決定される。
【００６２】
照明の制御条件を決定する際には、収集された快適度情報のうち、照明に関する快適度（図２（Ｂ）参照）が用いられる。ここで、照明に関し、明るいと答えた人の数をＨとし、適度であると答えた人の数をＭとし、暗いと答えた人の数をＬとする。調整部３４は、このＨ、Ｌ、Ｍの人数に応じて、照明の制御条件を決定する。
【００６３】
例えば、図８に示すように、Ｈ＞Ｍで、かつＬ＝０である場合、調整部３４は、照明が全体的に暗くなるように、照明システム２を制御する。この場合には、明るいと答えた人が大半であることから、照明を全体的に暗くするのである。
【００６４】
また、Ｈ≦Ｍで、かつＬ＝０である場合には、調整部３４は、照明を部分的に暗くする。この場合、明るいと答えた人の位置情報に基づいて、その位置が暗くなるように、照明システム２の制御条件を変更する。
【００６５】
また、Ｈ、Ｌ≠０である場合には、調整部３４は、明るいと答えた人と、暗いと答えた人とが両方いるので、照明の明暗を部分的に調整する。この場合、暗いと答えた人の位置では、照明が明るくなるように、明るいと答えた人の位置では、照明が暗くなるように、照明システム２の制御条件を変更する。
【００６６】
また、Ｈ、Ｌ＝０である場合には、調整部３４は、明るさが適度であると全員が答えているので、照明システム２の制御条件を変更なしとする。
【００６７】
また、Ｈ＝０で、かつＭ≧Ｌである場合には、調整部３４は、照明を部分的に明るくする。この場合にも、暗いと答えた人の位置情報に基づいて、その位置が明るく照らされるように、照明システム２の制御条件を変更する。
【００６８】
また、Ｈ＝０で、かつＭ＜Ｌである場合には、調整部３４は、照明を全体的に明るくする。この場合には、暗いと答えた人が大半であることから、照明が全体的に明るくなるように、照明システム２の制御条件を変更する。
【００６９】
一方、室温の制御条件を決定する際には、収集された快適度情報のうち、室温に関する快適度が用いられる。ここで、室温が高いと答えた人の数をＨとし、快適であると答えた人の数をＭとし、室温が低いと答えた人の数をＬとする。調整部３４は、このＨ、Ｌ、Ｍの人数に応じて、室温の制御条件を決定する。
【００７０】
例えば、図９に示すように、Ｈ＞Ｍで、かつＬ＝０である場合、調整部３４は、室温を全体的に低くするか、風量を強くする。この場合には、室温が高すぎると感じる人が大半であることから、室温を全体的に低くしたり、風量を強くしたりする。なお、目標温度を下げるのか、風量を強くするのかは、消費電力が低い方が優先的に採用されるのが望ましい。一般的には、まず、風量を強くすることが優先される。
【００７１】
また、Ｈ≦Ｍで、かつＬ＝０である場合には、調整部３４は、風向を変更するか、室温を部分的に低くするか、風量を部分的に強くする。この場合、調整部３４は、室温が高いと答えた人の位置情報に基づいて、その位置に風を向けるか、室温を低くするか、風量が強くなるように、制御条件を変更する。なお、風向、温度、風量の変更についても、消費電力が低い方が優先的に採用される。一般的には、風向が優先的に採用される。なお、室温が高いと答えた人が、居室空間全体にちらばっている場合には、結果的には、全体的な室温制御が行われるようになる。
【００７２】
また、Ｈ、Ｌ≠０である場合には、調整部３４は、室温が高いと答えた人と、低いと答えた人とが両方いるので、室温の高低を部分的に調整する。この場合、調整部３４は、室温が低いと答えた人の位置では室温が高く感じられるように、室温が高いと感じる人の位置では、室温が低く感じられるように、風向、風量、室温を調整する。風向、温度、風量の変更についても、消費電力が低い方が優先的に採用される。一般的には、風向が優先的に採用される。室温が高いと答えた人と、低いと答えた人との位置が混在し、部分的な調整が出来ない場合には、変更なしとしてもよい。
【００７３】
また、Ｈ、Ｌ＝０である場合には、全員が快適と感じているので、調整部３４は、室温の制御条件を変更なしとする。
【００７４】
また、Ｈ＝０で、かつＭ≧Ｌである場合には、調整部３４は、部分的に、室温が高くなると感じられるように、風向、風量、室温を部分的に制御する。この場合にも、調整部３４は、室温が低いと答えた人の位置情報に基づいて、その位置で室温が高いと感じられるように、風向を変え、風量を弱くし、室温を上げる方向に、制御条件を変更する。
【００７５】
また、Ｈ＝０で、かつＭ＜Ｌである場合には、調整部３４は、室温を全体的に上げるように制御条件を変更する。この場合には、室温が低いと答えた人が大半であることから、室温が上がったと感じられるように、設定温度を高くしたり、風量を弱くしたりして、制御条件を変更する。
【００７６】
一方、湿度の制御条件を決定する際には、収集された快適度情報のうち、湿度に関する快適度が用いられる。ここで、湿度に関し、高いと答えた人の数をＨとし、快適であると答えた人の数をＭとし、湿度が低いと答えた人の数をＬとする。調整部３４は、このＨ、Ｌ、Ｍの人数に応じて、湿度の制御条件を決定する。
【００７７】
例えば、図１０に示すように、Ｈ＞Ｍで、かつＬ＝０である場合、調整部３４は、湿度が全体的に低く感じられるような制御条件に変更する。この場合には、湿度が高いと感じる人が大半であることから、調整部３４は、湿度が全体的に低く感じられるように制御条件を調整するのである。
【００７８】
また、Ｈ≦Ｍで、かつＬ＝０である場合には、調整部３４は、湿度の制御条件を部分的に変更する。この場合、調整部３４は、湿度が高いと答えた人の位置情報に基づいて、その位置での湿度が低く感じられるように、湿度の制御条件を変更する。
【００７９】
また、Ｈ、Ｌ≠０である場合には、調整部３４は、湿度が高いと答えた人と、低いと答えた人とが両方いるので、湿度の高低を部分的に調整する。この場合、調整部３４は、湿度が低いと答えた人の位置では、湿度が高く感じられるように、湿度が高いと答えた人の位置では、湿度が低く感じられるように、湿度の制御条件を変更する。
【００８０】
また、Ｈ、Ｌ＝０である場合には、調整部３４は、湿度が適度であると利用者全員が答えているので、湿度の制御条件を変更なしとする。
【００８１】
また、Ｈ＝０で、かつＭ≧Ｌである場合には、調整部３４は、湿度の制御条件を部分的に調整する。この場合にも、調整部３４は、湿度が低いと答えた人の位置情報に基づいて、その位置で湿度が今よりも高く感じられるように、湿度の制御条件を部分的に変更する。
【００８２】
また、Ｈ＝０で、かつＭ＜Ｌである場合には、調整部３４は、湿度が全体的に高めに感じられるように湿度の制御条件を変更する。この場合には、調整部３４は、湿度が低いと答えた人が大半であることから、湿度が上がるように制御条件を変更するのである。
【００８３】
なお、上述したＨ、Ｍ、Ｌには、各利用者の優先度が考慮される。例えば、優先度の高い人については、１人ではなく、複数人として数え、重みづけをしたＨ、Ｍ、Ｌで、調整を行うようにする。また、優先度が高い人以外を除外して、上述のように制御条件を決定してもよい。
【００８４】
図６に戻り、続いて、システムコントローラ１（調整部３４）は、許容消費電力を算出する（ステップＳ２１）。消費電力情報収集部３２は、電力計測センサ２２、２３によって計測される消費電力を収集し、調整部３４に出力している。調整部３４は、消費電力を累積し、現在の消費電力量を算出する。図４に示すように、調整部３４は、管理条件保持部３１によって保持される総消費電力量の目標値を参照し、目標値から現在の消費電力量を減算することにより余剰消費電力量を算出する。そして、調整部３４は、この余剰消費電力量に基づいて、現在消費可能な許容消費電力を算出する。
【００８５】
続いて、システムコントローラ１（調整部３４）は、決定された制御条件に基づいて照明システム２及び空調システム３が稼働したときの推定消費電力を算出する（ステップＳ２２）。
【００８６】
続いて、システムコントローラ１（調整部３４）は、推定消費電力が、許容消費電力を超過しているか否かを判定する（ステップＳ２３）。この判定が否定されれば（ステップＳ２３；Ｎｏ）、システムコントローラ１（調整部３４）は、現在決定されている制御条件を制御部３５に設定し（ステップＳ２４）、変更フラグｆに１をセットし（ステップＳ２５）、タイマを起動して計時を開始する（ステップＳ２６）。ステップＳ２５終了後は、システムコントローラ１（調整部３４）は、制御条件設定処理を終了する。
【００８７】
一方、推定消費電力が、許容消費電力を超過していれば（ステップＳ２３；Ｙｅｓ）、システムコントローラ１（調整部３４）は、制御条件を微調整可であるか否かを判定する（ステップＳ２７）。微調整可でなければ（ステップＳ２７；Ｎｏ）、システムコントローラ１（調整部３４）は、そのまま制御条件を変更せずに、制御条件設定処理を終了する。
【００８８】
一方、微調整可であれば（ステップＳ２７；Ｙｅｓ）、システムコントローラ１（調整部３４）は、制御条件を微調整する（ステップＳ２８）。
【００８９】
微調整後、システムコントローラ１（調整部３４）は、再び決定された制御条件に基づいて照明システム２及び空調システム３が稼働したときの消費電力を推定し（ステップＳ２２）、推定消費電力が、許容消費電力を超過しているか否かを判定する（ステップＳ２３）。このように、消費電力が超過する場合（ステップＳ２３；Ｙｅｓ）、消費電力が目標値以内となるように制御条件が微調整可能な場合に微調整され（ステップＳ２７；Ｙｅｓ→ステップＳ２８）、消費電力が目標値を超える場合には（ステップＳ２７；Ｎｏ）、調整部３４は、制御条件の変更を中止する。
【００９０】
図５に戻り、制御条件設定処理終了後、システムコントローラ１（位置情報収集部４０）は、携帯端末５Ａ、５Ｂ、５Ｃの位置情報を収集する（ステップＳ６）。その後、快適度情報収集（ステップＳ７）、環境情報収集（ステップＳ８）、消費電力情報収集（ステップＳ９）、利用者の動作情報算出（ステップＳ１０）、利用者の優先度決定（ステップＳ１１）が、この順に行われる。
【００９１】
続いて、システムコントローラ１（調整部３４）は、変更フラグｆに１がセットされているか否かを判定する（ステップＳ１２）。ここで、制御条件設定処理（図６参照）において、ステップＳ２５が実行された場合には、変更フラグｆに１がセットされている。この場合、判定が肯定されるので（ステップＳ１２；Ｙｅｓ）、システムコントローラ１（調整部３４）は、変更後処理のサブルーチンを実行する（ステップＳ１４）。
【００９２】
変更後処理のサブルーチンでは、図７に示すように、まず、調整部３４は、タイムアウトしたか否かを判定する（ステップＳ３０）。タイムアウトしていれば（ステップＳ３０；Ｙｅｓ）、調整部３４は、制御条件を元に戻し（ステップＳ３１）、変更フラグｆに０をセットし（ステップＳ３２）、変更後処理を終了する。
【００９３】
ここで、タイムアウトすれば制御条件を元に戻すのは、それだけの時間が経過すれば、制御条件を変更した場合の効果が十分に得られていると判断されるためである。また、制御条件を変更したままであると、制御条件を変更する前には快適であった人の快適度が悪化するおそれがあるためである。
【００９４】
一方、タイムアウトしていない場合（ステップＳ３０；Ｎｏ）、調整部３４は、快適度情報収集部４１によって収集された快適度情報に基づいて、快適度が悪化しているか否かを判定する（ステップＳ３３）。快適度が悪化していれば（ステップＳ３３；Ｙｅｓ）、調整部３４は、制御条件を元に戻し（ステップＳ３１）、変更フラグｆに０をセットし（ステップＳ３２）、変更後処理を終了する。
【００９５】
一方、快適度が悪化していない場合（ステップＳ３３；Ｎｏ）、快適度が改善されたか否かを判定する（ステップＳ３４）。快適度が改善されていれば（ステップＳ３４；Ｙｅｓ）、制御条件をさらに変更せず、調整部３４は、変更後処理を終了する。これにより、制御部３５は、継続された制御条件の下で、照明システム２及び空調システム３を制御する。
【００９６】
一方、快適度が改善されていなければ（ステップＳ３４；Ｎｏ）、調整部３４は、制御条件設定処理のサブルーチン（図６参照）を再度実行する（ステップＳ３５）。制御条件設定処理が終了すると、調整部３４は、変更後処理を終了する。
【００９７】
図５に戻り、変更後処理（ステップＳ１４）終了後、システムコントローラ１は、再びステップＳ６に戻り、ステップＳ６→Ｓ７→Ｓ８→Ｓ９→Ｓ１０→Ｓ１１を実行する。そして、システムコントローラ１は、変更フラグｆに０がセットされている場合（ステップＳ１２；Ｎｏ）、制御条件設定処理を行い（ステップＳ１３）、変更フラグｆに１がセットされている場合（ステップＳ１２；Ｙｅｓ）、変更後処理を行う（ステップＳ１４）。
【００９８】
このようにして、各利用者の快適度情報等に基づいて、照明システム２及び空調システム３の制御条件が調整される。
【００９９】
以上詳細に説明したように、この実施の形態によれば、居室空間を利用する複数の利用者各々の位置情報及び快適度情報に基づいて、快適度の低い利用者の快適度が高くなり、快適度の高い利用者の快適度が維持されるように、照明システム２及び空調システム３の制御条件を調整する。このようにすれば、複数の利用者に対し、各人の個人差を考慮した上で、各人が納得できる居室空間の快適な環境を構築することができる。
【０１００】
実施の形態２．
次に、この発明の実施の形態について説明する。
【０１０１】
上記実施の形態１では、携帯端末５Ａ、５Ｂ、５Ｃは、システムコントローラ１へ端末情報を送信するだけであった。これに対し、この実施の形態では、システムコントローラ１から携帯端末５Ａ、５Ｂ、５Ｃへも情報が送信される。
【０１０２】
図１１に示すように、この実施の形態に係るシステムコントローラ１は、情報送信部３６をさらに備えている。情報送信部３６は、調整部３４から出力された情報を、携帯端末５Ａ、５Ｂ、５Ｃに送信する。携帯端末５Ａ、５Ｂ、５Ｃは、その情報を受信して、表示部１９に表示する。
【０１０３】
この実施の形態に係る環境制御システム１００の動作について図１２のフローチャートを中心として説明する。
【０１０４】
この実施の形態に係るシステムコントローラ１の動作は、ステップＳ４０、Ｓ４１、Ｓ４２、Ｓ４３をさらに行う点が、上記実施の形態１に係るシステムコントローラ１と異なる。
【０１０５】
上記実施の形態１と同様に、システムコントローラ１（快適度情報収集部４１）は、快適度情報を収集する（ステップＳ７）。その後、システムコントローラ１（調整部３４）は、この快適度情報の収集結果を、情報送信部３６を介して、携帯端末５Ａ、５Ｂ、５Ｃに送信する（ステップＳ４０）。携帯端末５Ａ、５Ｂ、５Ｃは受信した情報を表示する。  
【０１０６】
図１３には、このようにして表示された快適度情報の収集結果の表示例が示されている。このような表示を見れば、利用者は、表示された収集結果を参考にして、周囲の人の状態を考慮した上で、自身の快適度を再入力することができる。この結果、照明システム２及び空調システム３の制御状態が緩和されて、消費電力が低減することも期待される。
【０１０７】
また、このような表示を見れば、現在の制御条件が設定されている理由（例えば、自分は暑いと感じているのに、他の多数の人が寒いと思っている場合に室温が高めに設定されている理由）を確認することができる。これにより、利用者が、制御条件に対して納得することができる。
【０１０８】
また、上記実施の形態１と同様に、システムコントローラ１（消費電力情報収集部３２）は、消費電力情報を収集する（ステップＳ９）。その後、システムコントローラ１（調整部３４）は、収集した消費電力情報に基づいて、総消費電力量及び電気料金を算出する（ステップＳ４１）。続いて、システムコントローラ１（調整部３４）は、総消費電力量又は電気料金を、情報送信部３６を介して、携帯端末５Ａ、５Ｂ、５Ｃに送信する（ステップＳ４２）。携帯端末５Ａ、５Ｂ、５Ｃは受信した総消費電力又は電気料金を表示する。この表示をみれば、各利用者が消費電力量の把握が可能となり、利用者が省エネルギ化への意識を高めることができる。この意識が、実際の省エネルギ化につながる。
【０１０９】
また、上記実施の形態１と同様に、システムコントローラ１（消費電力情報収集部３２）は、制御条件設定処理のサブルーチン（ステップＳ１３）や、変更後処理のサブルーチン（ステップＳ１４）を実行する。その後、システムコントローラ１（調整部３４）は、それらのサブルーチンによって決定された制御条件及びその制御条件に決定された理由を、携帯端末５Ａ、５Ｂ、５Ｃに送信する（ステップＳ４３）。携帯端末５Ａ、５Ｂ、５Ｃは受信した制御条件及びその理由を表示する。
【０１１０】
これにより、携帯端末５Ａ、５Ｂ、５Ｃの表示部１９には、現在どのような制御条件で制御され、その制御条件がどのような理由で実現されているのかが表示される。この表示を見れば、快適でないと感じている利用者の不満を多少なりとも解消させることができる。
【０１１１】
この表示では、消費電力が目標値を超えてしまうために、制御条件が変更されなった場合には、その旨が上記理由として表示される。このようにすれば、利用者の中に省エネルギ化への意識を生じさせることもできるようになる。
【０１１２】
以上詳細に説明したように、この実施の形態によれば、システムコントローラ１によって照明システム２及び空調システム３の制御条件を調整する過程において、各利用者が、居室空間内の複数の利用者の快適度の集計結果、照明システム２及び空調システム３によって消費される総消費電力量又はその消費による電気料金、または、決定された制御条件やその理由を確認することができる。これらの表示により、利用者に対して他の利用者を考慮した快適度の入力を促したり、省エネルギ化への意欲を喚起したり、現在の制御条件への不満を緩和したりすることができる。
【０１１３】
これまで詳細に説明してきたように、環境制御システム１００を用いれば、居室空間内の大多数の利用者の快適性を向上させることができる。また、利用者の環境制御に対する理解度や、省エネルギ化への意欲等を向上させることができる。かかる環境制御システム１００は、既設の環境制御機器にも適用可能であるので、環境制御機器に対する大規模な設計変更や改修は不要である。このため、極めて低コストにシステムを構築することができる。
【０１１４】
また、利用者が、自身の体調を自ら入力するので、正確な情報の下で、環境制御を行うことができる。
【０１１５】
また、居室空間内を非定常に行動する利用者のその行動に従って、制御条件を調整するので、利用者の快適度を高いレベルで維持することができる。
【０１１６】
なお、携帯端末５Ａ、５Ｂ、５Ｃには、利用者の動作情報（移動状態、作業内容）を検出する機能を持たせることができる。この機能を用いて検出された利用者の動作情報を、システムコントローラ１に送信し、利用者の優先度の決定等に用いるようにしてもよい。
【０１１７】
なお、携帯端末５Ａ、５Ｂ、５Ｃには、居室空間への入退室管理機能を持たせることができる。この機能を用いれば、利用者が入室してきたときに、利用者の優先度を高く設定することもできる。このようにすれば、外から帰ってきて入室したばかりの利用者に対して空調システム３の出力を強くするなどの措置をとすることができる。より具体的には、空調システム３からの風をその利用者に集中して当てるように制御すれば、その利用者の快適度を向上させることができる。風向を制御できない場合には、その利用者が居る領域の風量や温度を変更すればよい。
【０１１８】
各利用者の優先度の設定については、さらなる変形例を採用することができる。例えば、快適度情報（初期設定値）によれば、室温が２５度から２７度が快適であるとしていた利用者が、環境情報収集部４２によって収集された室温が２６度であるにも関らず、室温が高いと答えた場合には、その利用者の優先度を高めに設定するようにしてもよい。すなわち、収集された快適度情報と環境情報との間に違いのある利用者の優先度を高く設定するようにしてもよい。
【０１１９】
なお、上記各実施の形態によれば、室温、湿度、照度を検出するセンサを、携帯端末５Ａ、５Ｂ、５Ｃ内に組み込んだが、これらのセンサは、居室内の複数の場所に固定してもよい。このようにしても、携帯端末５Ａ、５Ｂ、５Ｃの位置情報に基づいて、利用者がいる位置における環境を取得することができる。
【０１２０】
また、携帯端末５Ａ、５Ｂ、５Ｃに、居室空間における位置情報を検出する位置検出センサを備えるようにしてもよい。この場合には、携帯端末５Ａ、５Ｂ、５Ｃの位置検出センサで検出された位置情報が、システムコントローラ１に送信される。
【０１２１】
なお、上記各実施の形態によれば、入力された快適度や携帯端末５Ａ、５Ｂ、５Ｃの位置情報と、その快適度が向上した制御条件との関係を記憶しておくようにしてもよい。これらの関係を記憶しておけば、記憶された快適度のパターンに類似する状況が再び発生したときに、対応付けされた制御条件を直ちに設定して、照明システム２及び空調システム３の制御を行うようにすることができる。すなわち、環境制御システム１００では、快適度と制御条件との間の関係の学習を行うようにすれば、最適な制御条件への迅速な変更が可能となる。
【０１２２】
また、上記各実施の形態によれば、無線Ｉ／Ｆ４と携帯端末５Ａ、５Ｂ、５Ｃとの間の無線通信の通信方式として、ＵＷＢを採用したが、他の通信方式を採用してもよい。例えば、Ｂｌｕｅｔｏｏｔｈ（登録商標）や、ＺｉｇＢｅｅ（登録商標）を採用してもよい。
【０１２３】
また、携帯端末５Ａ、５Ｂ、５Ｃは、携帯電話機であってもよいし、ＰＤＡであってもよい。また、この実施の形態に係る専用の携帯端末であってもよい。要は、居室空間を利用する利用者が所持し、利用者の移動に従って移動する端末であればよい。
【０１２４】
また、照明システム２は、２つの照明器２Ａ、２Ｂを備えていたが、３つ以上の照明器が配設されていてもよい。空調システム３の室内機、室外機の数も同様である。これらの数が増えれば増えるほど、きめ細かな制御が可能となる。
【０１２５】
また、システムコントローラ１と照明システム２及び空調システム３との間については、ＬＡＮ、空調ネットワーク、照明ネットワークなどの各種通信ネットワークで接続することができる。これらの通信ネットワークは、有線でもよいし、無線でもよい。無線の場合には、通信方式として、ＵＷＢやＺｉｇＢｅｅ（登録商標）を採用できる。
【０１２６】
また、上記各実施の形態では、システムコントローラ１により、照明システム２及び空調システム３を実際に制御したが、この発明は、これには限られない。実際に制御を行わず、居室空間の管理者又は利用者に対して、生成された制御条件の調整情報を提示して、制御条件のマニュアル調整を促すようにするだけでもよい。要は、システムコントローラ１は、制御条件を調整するだけでよい。
【０１２７】
また、上記各実施の形態に係る照明システム２は、明るさだけを制御した。しかしながら、照明システム２は、オン／オフ制御を行ってもよいし、配光制御を行ってもよいし、色温度制御を行ってもよい。
【０１２８】
また、上記各実施の形態に係る空調システム３は、風向、風量、温度、湿度制御を行った。しかしながら、空調システム３は、オン／オフ制御をおこなってもよいし、換気制御を行ってもよい。室内機３Ｂ、３Ｃにおいて、風向制御が不可である場合には、風量制御など、他の制御を行うようにすればよい。
【０１２９】
なお、上記各実施の形態において、システムコントローラ１で実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【０１３０】
また、このプログラムをインターネット等の通信ネットワーク上の所定のサーバ装置が有するディスク装置等に格納しておき、例えば、搬送波に重畳させて、ダウンロード等するようにしてもよい。
【０１３１】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【産業上の利用可能性】
【０１３２】
この発明は、居室空間の環境を最適に保つのに好適である。
【符号の説明】
【０１３３】
１  システムコントローラ
２  照明システム
２Ａ、２Ｂ  照明器
３  空調システム
３Ａ  室外機
３Ｂ、３Ｃ  室内機
４  無線インターフェイス（Ｉ／Ｆ）
５Ａ、５Ｂ、５Ｃ  携帯端末
１２  照明コントローラ
１３  空調コントローラ
１５  制御部
１６  操作入力部
１７  記憶部
１８  無線通信部
１９  表示部
２２、２３  電力計測センサ
３０  指標入力インターフェイス（Ｉ／Ｆ）
３１  管理条件保持部
３２  消費電力情報収集部
３３  端末情報収集部
３４  調整部
３５  制御部
３６  情報送信部
４０  位置情報収集部
４１  快適度情報収集部
４２  環境情報収集部
１００  環境制御システム
【図１】
0005508445.tif 000002
【図２】
0005508445.tif 000003
【図３】
0005508445.tif 000004
【図４】
0005508445.tif 000005
【図５】
0005508445.tif 000006
【図６】
0005508445.tif 000007
【図７】
0005508445.tif 000008
【図８】
0005508445.tif 000009
【図９】
0005508445.tif 000010
【図１０】
0005508445.tif 000011
【図１１】
0005508445.tif 000012
【図１２】
0005508445.tif 000013
【図１３】
0005508445.tif 000014